(57)【要約】【課題】消費電力の低減を可能とするテープ印刷装置、制御方法およびプログラムを提供する。【解決手段】テープ印刷装置１は、入力操作を受け付ける操作受付部（キーボード１１、入力インターフェイス３５、ＣＰＵ３１）と、操作受付部が受け付けた入力操作に基づいて画面表示を行う表示部１２と、表示部を照明する照明部（バックライト４６）と、テープ印刷装置１の電源のオンとオフとを切り替える電源回路５０と、テープ印刷装置１の動作を制御する制御部３０と、を備え、制御部３０は、操作受付部が、第１の時間、入力操作を受け付けなかった場合には、照明部の照明を消灯させる第１省電力モードに切り替え、操作受付部が、第１の時間よりも長い第２の時間、入力操作を受け付けなかった場合には、電源回路５０の電源をオフさせる第２省電力モードに切り替える。【選択図】図３
2011126012.tif 000002
【特許請求の範囲】
【請求項１】
画像をテープに印刷するテープ印刷装置であって、
入力操作を受け付ける操作受付部と、
前記操作受付部が受け付けた入力操作に基づいて画面表示を行う表示部と、
前記表示部を照明する照明部と、
前記テープ印刷装置の電源のオンとオフとを切り替える電源回路と、
前記テープ印刷装置の動作を制御する制御部と、
を備え、
前記制御部は、前記操作受付部が、第１の時間、入力操作を受け付けなかった場合には、前記照明部の照明を消灯させる第１省電力モードに切り替え、前記操作受付部が、前記第１の時間よりも長い第２の時間、入力操作を受け付けなかった場合には、前記電源回路の電源をオフさせる第２省電力モードに切り替えることを特徴とするテープ印刷装置。
【請求項２】
請求項１に記載のテープ印刷装置であって、
前記制御部は、前記第１の時間よりも長く、かつ前記第２の時間よりも短い第３の時間、前記操作受付部が入力操作を受け付けなかった場合に、前記表示部の画面表示を停止させる第３省電力モードに切り替えることを特徴とするテープ印刷装置。
【請求項３】
請求項１または２に記載のテープ印刷装置であって、
入力された文字列に基づいた前記画像を前記テープに印刷する印刷部をさらに有し、
前記印刷部が印刷を行っている間、前記制御部は、前記照明部の照明を消灯させる前記第１省電力モードに切り替えることを特徴とするテープ印刷装置。
【請求項４】
請求項１乃至３のいずれか一項に記載のテープ印刷装置であって、
前記操作受付部が受け付けた所定の入力操作に応じて、前記第１の時間、前記第２の時間、および前記第３の時間のうち、少なくとも１つを変更する時間変更部をさらに有することを特徴とするテープ印刷装置。
【請求項５】
入力操作に基づいて画面表示を行う表示部と、前記表示部を照明する照明部と、電源のオンとオフとを切り替える電源回路とを有し、画像をテープに印刷するテープ印刷装置の制御方法であって、
入力操作を受け付ける操作受付ステップと、
前記操作受付ステップにおいて、第１の時間、入力操作を受け付けなかった場合に、前記照明部の照明を消灯させる第１省電力モードに切り替える第１制御ステップと、
前記操作受付ステップにおいて、前記第１の時間よりも長い第２の時間、入力操作を受け付けなかった場合に、前記電源回路の電源をオフさせる第２省電力モードに切り替える第２制御ステップと、
を備えることを特徴とするテープ印刷装置の制御方法。
【請求項６】
コンピューターに、請求項５に記載のテープ印刷装置の制御方法における各ステップを実行させるためのプログラム。
【発明の詳細な説明】
【技術分野】
【０００１】
本発明は、テープ印刷装置、テープ印刷装置の制御方法、およびプログラムに関する。
【背景技術】
【０００２】
従来、入力された文字列等の画像を表示する表示部を備えたテープ印刷装置が知られている。このようなテープ印刷装置には、視認性の向上のために、表示部にバックライト等の照明を備えたものがある。
【０００３】
また、使用者が選択を行う選択画面の表示中に、あらかじめ設定されている待ち時間以上、使用者による選択操作がない場合には、液晶モニター等の表示装置（表示部）のバックライトを消灯して省電力状態に切り替える情報表示装置が開示されている（例えば、特許文献１）。このような情報表示装置では、表示装置の消費電力を低減することが可能である。
【先行技術文献】
【特許文献】
【０００４】
【特許文献１】特開２００９−２０４１６号公報
【発明の概要】
【発明が解決しようとする課題】
【０００５】
しかしながら、このように表示部の照明（バックライト）を消灯する機能をテープ印刷装置に適用しても、照明以外の消費電力が低減されておらず、十分な省電力化が図られていないという課題があった。よって、さらなる消費電力の低減を可能とするテープ印刷装置が求められていた。
【課題を解決するための手段】
【０００６】
本発明は、上述の課題の少なくとも一部を解決するためになされたものであり、以下の形態または適用例として実現することが可能である。
【０００７】
［適用例１］本適用例に係るテープ印刷装置は、画像をテープに印刷するテープ印刷装置であって、入力操作を受け付ける操作受付部と、前記操作受付部が受け付けた入力操作に基づいて画面表示を行う表示部と、前記表示部を照明する照明部と、前記テープ印刷装置の電源のオンとオフとを切り替える電源回路と、前記テープ印刷装置の動作を制御する制御部と、を備え、前記制御部は、前記操作受付部が、第１の時間、入力操作を受け付けなかった場合には、前記照明部の照明を消灯させる第１省電力モードに切り替え、前記操作受付部が、前記第１の時間よりも長い第２の時間、入力操作を受け付けなかった場合には、前記電源回路の電源をオフさせる第２省電力モードに切り替えることを特徴とする。
【０００８】
このようなテープ印刷装置によれば、操作受付部は入力操作を受け付ける。表示部は、入力操作に基づいて画面表示を行う。照明部は、表示部を照明する。電源回路は、テープ印刷装置の電源のオンとオフとを切り替える。そして、制御部は、第１の時間、入力操作を受け付けなかった場合には、照明部の照明を消灯させる第１省電力モードに切り替える。また、制御部は、第１の時間よりも長い第２の時間、入力操作を受け付けなかった場合には、電源回路の電源をオフさせる第２省電力モードに切り替える。これにより、第１の時間、入力操作を受け付けなかった場合には、照明部の照明は消灯されるので、消費電力を低減することができる。また、第１の時間よりも長い第２の時間、入力操作を受け付けなかった場合には、テープ印刷装置の電源がオフされるので、消費電力をさらに低減することができる。
【０００９】
［適用例２］上記適用例に係るテープ印刷装置において、前記制御部は、前記第１の時間よりも長く、かつ前記第２の時間よりも短い第３の時間、前記操作受付部が入力操作を受け付けなかった場合に、前記表示部の画面表示を停止させる第３省電力モードに切り替えることを特徴とする。
【００１０】
このようなテープ印刷装置によれば、制御部は、第３の時間、入力操作を受け付けなかった場合に、表示部の画面表示を停止させる第３省電力モードに切り替える。これにより、第２省電力モードのようにテープ印刷装置の電源をオフすることなく、第１省電力モードよりも低い消費電力にすることができる。
【００１１】
［適用例３］上記適用例に係るテープ印刷装置において、入力された文字列に基づいた前記画像を前記テープに印刷する印刷部をさらに有し、前記印刷部が印刷を行っている間、前記制御部は、前記照明部の照明を消灯させる前記第１省電力モードに切り替えることを特徴とする。
【００１２】
このようなテープ印刷装置によれば、印刷部が印刷を行っている間、制御部は照明部の照明を消灯させる第１省電力モードに切り替える。これにより、ユーザーによる入力操作を受け付ける必要がない印刷中は、照明部の照明が消灯されるため、消費電力を低減することができる。
【００１３】
［適用例４］上記適用例に係るテープ印刷装置において、前記操作受付部が受け付けた所定の入力操作に応じて、前記第１の時間、前記第２の時間、および前記第３の時間のうち、少なくとも１つを変更する時間変更部をさらに有することを特徴とする。
【００１４】
このようなテープ印刷装置によれば、時間変更部は、所定の入力操作に応じて、第１の時間、第２の時間、および第３の時間のうち、少なくとも１つを変更する。これにより、ユーザーは、第１の時間、第２の時間、および第３の時間を所望の時間に設定することができる。
【００１５】
［適用例５］本適用例に係るテープ印刷装置の制御方法は、入力操作に基づいて画面表示を行う表示部と、前記表示部を照明する照明部と、電源のオンとオフとを切り替える電源回路とを有し、画像をテープに印刷するテープ印刷装置の制御方法であって、入力操作を受け付ける操作受付ステップと、前記操作受付ステップにおいて、第１の時間、入力操作を受け付けなかった場合に、前記照明部の照明を消灯させる第１省電力モードに切り替える第１制御ステップと、前記操作受付ステップにおいて、前記第１の時間よりも長い第２の時間、入力操作を受け付けなかった場合に、前記電源回路の電源をオフさせる第２省電力モードに切り替える第２制御ステップと、を備えることを特徴とする。
【００１６】
このようなテープ印刷装置の制御方法によれば、操作受付ステップにおいて、第１の時間、入力操作を受け付けなかった場合には、照明部の照明は消灯されるので、消費電力を低減することができる。また、第１の時間よりも長い第２の時間、入力操作を受け付けなかった場合には、テープ印刷装置の電源がオフされるので、消費電力をさらに低減することができる。
【００１７】
［適用例６］本適用例に係るプログラムは、コンピューターに、上記適用例に記載のテープ印刷装置の制御方法における各ステップを実行させるためのものであることを特徴とする。
【００１８】
このようなプログラムをコンピューターに実行させることにより、操作受付ステップにおいて、第１の時間、入力操作を受け付けなかった場合には、照明部の照明は消灯されるので、消費電力を低減することができる。また、第１の時間よりも長い第２の時間、入力操作を受け付けなかった場合には、テープ印刷装置の電源がオフされるので、消費電力をさらに低減することができる。
【図面の簡単な説明】
【００１９】
【図１】第１の実施形態のテープ印刷装置を示す斜視図。
【図２】第１の実施形態のテープ印刷装置を示す斜視図。
【図３】テープ印刷装置の回路構成を示すブロック図。
【図４】テープ印刷装置の状態遷移図。
【図５】テープ印刷装置の各状態における表示部の画面を表す説明図であり、（ａ）は、待機状態の画面を表す説明図、（ｂ）は、文字入力状態の画面を表す説明図、（ｃ）は、バックライト消灯状態の画面を表す説明図、（ｄ）は、印刷状態の画面を表す説明図。
【図６】テープ印刷装置の待機状態における処理のフローチャート。
【図７】テープ印刷装置の文字入力状態における処理のフローチャート。
【図８】テープ印刷装置のバックライト消灯状態における処理のフローチャート。
【図９】テープ印刷装置の印刷状態における処理のフローチャート。
【図１０】テープ印刷装置の表示部に表示されたメニュー画面を表す説明図であり、（ａ）は、バックライトを消灯する第１の時間を変更するメニュー画面の説明図、（ｂ）は、印刷状態におけるバックライトの点灯の設定を行うメニュー画面の説明図、（ｃ）は、バックライトの明るさを変更するメニュー画面の説明図。
【図１１】第２の時間変更メニュー画面を表す説明図。
【図１２】第２の実施形態のテープ印刷装置の状態遷移図。
【図１３】テープ印刷装置の表示停止状態における表示部の画面を表す説明図。
【図１４】テープ印刷装置のバックライト消灯状態における処理のフローチャート。
【図１５】テープ印刷装置の表示停止状態における処理のフローチャート。
【図１６】第３の時間変更メニュー画面を表す説明図。
【発明を実施するための形態】
【００２０】
以下、実施形態について説明する。
【００２１】
（第１の実施形態）
第１の実施形態では、第１の時間、入力操作を受け付けなかった場合に第１省電力モードに切り替わり、第２の時間、入力操作を受け付けなかった場合に第２省電力モードに切り替わるテープ印刷装置について、図面を参照して説明する。
【００２２】
図１および図２は、第１の実施形態のテープ印刷装置を示す斜視図である。
図１および図２に示すように、テープ印刷装置１は、本体が筐体１０に収容された構成を有しており、筐体１０の上面手前側には、キーボード１１が備えられている。キーボード１１は、文字列の入力等、ユーザーによる各種入力操作を受け付ける入力部であり、仮名、漢字、アルファベット、数字、および記号等からなる文字列を入力可能な多数の文字キーと、テープ印刷装置１に対して各種動作を指示するための複数の制御キーとを有している。キーボード１１が備える制御キーには、電源のオンとオフとを切り替えるための電源キー、入力した仮名を漢字に変換するための変換キー、入力した文字列等を確定させるための決定キー、カーソルの移動等に用いられるカーソルキー、印刷を実行させるための印刷キー、メニュー画面を表示させるためのメニューキー等が含まれる。
【００２３】
筐体１０の上面奥側には、液晶表示装置等からなる表示部１２が備えられている。表示部１２は、マトリクス状に配列された多数の画素で画像を形成するものであり、キーボード１１から入力された文字の表示や、メニュー画面やメッセージ画面の表示等に用いられる。
【００２４】
表示部１２の背面には、表示部１２を照明する照明部としてのバックライト４６（図１および図２では図示せず）が備えられている。バックライト４６は、例えば、ＬＥＤ（Light Emitting Diode）を有して構成された照明装置である。バックライト４６が点灯すると、表示部１２が照明される。
【００２５】
筐体１０の上面奥側には、表示部１２に隣接して、テープカートリッジ２を装着するための凹部１３が形成されている。凹部１３の開口部上には、開閉蓋１４が開閉可能に備えられており、開閉蓋１４を開放状態にすることによって、テープカートリッジ２を着脱することが可能となる。また、開閉蓋１４には、透光性を有する確認窓１４ａが備えられており、凹部１３にテープカートリッジ２が装着されているか否かを外部から視認可能になっている。凹部１３の底面には、サーマルヘッド１５や、搬送機構１６（図３参照）を構成する回転軸１６ａ，１６ｂが設けられており、凹部１３にテープカートリッジ２を装着すると、テープカートリッジ２に設けられた孔状のヘッド嵌合部２１にサーマルヘッド１５が嵌合するとともに、孔状の被駆動部２２ａ，２２ｂに回転軸１６ａ，１６ｂがそれぞれ係合する。
【００２６】
テープカートリッジ２には、カートリッジケース２０の内部に、ともに帯状のテープＴとインクリボンＲとが内蔵されている。テープＴは、テープ印刷装置１の印刷媒体であり、ＰＥＴ（ポリエチレンテレフタレート）或いは紙材等からなる基材の裏面に接着剤層が形成され、それが剥離紙によって覆われた構成になっている。テープ印刷装置１は、テープＴの幅や素材（基材の材質）、色等が異なる複数種類のテープカートリッジ２に対応可能であり、ユーザーは、用途や好みに応じたテープカートリッジ２を使用することができる。なお、テープカートリッジ２の裏面には、内蔵するテープＴを識別するための複数の孔（図示せず）が設けられており、テープ印刷装置１は、凹部１３の底面に備えられたマイクロスイッチ等の識別センサー１９（図３参照）によって、装着されたテープカートリッジ２のテープ種別を識別することができる。
【００２７】
テープカートリッジ２を凹部１３に装着すると、テープＴの表面は、ヘッド嵌合部２１において、インクリボンＲを介してサーマルヘッド１５と対向する。サーマルヘッド１５には、テープＴの長手方向（搬送方向）と直交する方向に１列に配列された多数の発熱素子（図示せず）が形成されており、各発熱素子を選択的に発熱させることにより、インクリボンＲのインクがテープＴの表面に転写（熱転写）される。つまり、テープＴの表面には、発熱した発熱素子に対応する位置にドットが形成される。ここで、回転軸１６ａ，１６ｂを回転駆動すると、テープＴとインクリボンＲは搬送されて、テープＴはカートリッジケース２０の外部に排出され、インクリボンＲはカートリッジケース２０の内部で巻き取られる。そして、テープＴとインクリボンＲとを少しずつ搬送しながら上記の熱転写を繰り返すことにより、複数のドットで構成される画像がテープＴの表面に印刷される。
【００２８】
筐体１０の側面には、筐体１０の外部と凹部１３とを連通するスリット１７が設けられており、カートリッジケース２０から排出された印刷済みのテープＴは、スリット１７を通って筐体１０の外部に向けて所定量だけ搬送される。筐体１０の内部には、スリット１７を横断するテープＴを切断するためのカッターユニット１８が配設されており、テープＴの印刷済みの部位は、このカッターユニット１８によって切り離され、テープ片（ラベル）としてスリット１７の開口部（テープ排出口）から排出される。
【００２９】
図３は、テープ印刷装置１の回路構成を示すブロック図である。
図３に示すように、テープ印刷装置１は、上述したキーボード１１、表示部１２、サーマルヘッド１５、回転軸１６ａ，１６ｂ（図２参照）を含む搬送機構１６、カッターユニット１８、バックライト４６、識別センサー１９の他に、テープ印刷装置１の動作を統括制御する制御部３０、表示部１２に画像を表示させる表示駆動部４１、サーマルヘッド１５を発熱駆動するヘッド駆動部４２、搬送機構１６を駆動する搬送駆動部４３、カッターユニット１８を駆動するカッター駆動部４４、バックライト４６を照明させるバックライト駆動部４５、電源回路５０等を備えている。
【００３０】
制御部３０は、コンピューターとして機能するものであり、互いにバス３０ａを介して接続されたＣＰＵ（Central Processing Unit）３１、ＲＡＭ（Random Access Memory）３２、ＲＯＭ（Read Only Memory）３３、ＣＧＲＯＭ（キャラクタージェネレーターＲＯＭ）３４、入力インターフェイス（Ｉ／Ｆ）３５、出力インターフェイス（Ｉ／Ｆ）３６等を有している。
【００３１】
ＣＰＵ３１は、ＲＯＭ３３に記憶されている制御プログラムに従って動作し、テープ印刷装置１全体の各種動作を制御する。また、ＣＰＵ３１には、タイマー３１ａが備えられている。タイマー３１ａは、ＣＰＵ３１の指示によって時間の計測を行う。
【００３２】
ＲＡＭ３２は、揮発性の記憶装置で構成された記憶部であり、ＣＰＵ３１の各種処理結果や、キーボード１１から入力された文字コード列、表示部１２に表示される表示画像データ、サーマルヘッド１５により印刷される印刷画像データ等を一時的に記憶する。また、文字コード列によって構成される文書データ等も記憶する。なお、これらの文書データ等は、不揮発性の記憶装置であるフラッシュメモリー等に記憶してもよい。
【００３３】
ＲＯＭ３３およびＣＧＲＯＭ３４は、マスクＲＯＭやフラッシュメモリー等の不揮発性の記憶装置で構成された記憶部であり、ＲＯＭ３３には、上述した制御プログラムや各種データ等が記憶されている。
【００３４】
ＣＧＲＯＭ３４には、テープ印刷装置１で印刷可能な文字のフォントデータが記憶されている。フォントデータは、サーマルヘッド１５により印刷される文字や、表示部１２に表示される文字を生成するためのビットマップ形式のデータである。ビットマップ形式のフォントデータは多数のドットで構成されており、各ドットはサーマルヘッド１５の発熱素子や表示部１２の画素に対応する。ＣＧＲＯＭ３４には、複数のフォントのフォントデータが記憶されており、ＣＰＵ３１は、フォントの種別、文字サイズおよび文字コードを指定することによって、対応するフォントデータをＣＧＲＯＭ３４から取得し、このフォントデータを用いて表示画像データおよび印刷画像データを形成する。なお、フォントデータとしては、種々の文字サイズに対応させやすいアウトライン形式のフォントデータを用いるようにしてもよい。
【００３５】
入力インターフェイス３５には、キーボード１１および識別センサー１９が接続されている。ユーザーによりキーボード１１が操作されると、キーボード１１は、この操作を入力操作として受け付けて、操作されたキーに対応するキー情報を、入力インターフェイス３５を介してＣＰＵ３１に出力する。ここで、キーボード１１、入力インターフェイス３５、およびＣＰＵ３１が操作受付部に相当する。また、識別センサー１９は、装着されたテープカートリッジ２のテープ種別に応じた識別情報を、入力インターフェイス３５を介してＣＰＵ３１に出力する。
【００３６】
出力インターフェイス３６には、表示駆動部４１、ヘッド駆動部４２、搬送駆動部４３、カッター駆動部４４、およびバックライト駆動部４５が接続されており、これらは、ＣＰＵ３１の制御に基づいて、表示部１２、サーマルヘッド１５、搬送機構１６、カッターユニット１８、およびバックライト４６をそれぞれ駆動する。バックライト４６は、バックライト駆動部４５によって、点灯および消灯の制御が行われる。また、バックライト４６の点灯時の明るさもバックライト駆動部４５によって制御される。
【００３７】
電源回路５０は、電池５１または商用電源（交流電源）５２を電源として、テープ印刷装置１の各部に電力の供給を行ったり停止したりする。即ち、テープ印刷装置１の電源をオンしたりオフしたりする。電源回路５０には、電池５１を接続（装着）するための電池端子（図示せず）と、商用電源５２を直流電源に変換するＡＣアダプター５３を接続するための電源端子（図示せず）とが設けられており、電池５１およびＡＣアダプター５３の少なくとも一方が接続される。なお、電池５１は、一次電池であっても二次電池であってもよいし、燃料電池等、他の態様の電池を採用してもよい。
【００３８】
上記のように構成されたテープ印刷装置１において、ユーザーにより電源キーが操作されると、テープ印刷装置１は、電池５１または商用電源５２を電源として動作を開始し、文字キーによる文字の入力や、制御キーによる各種指示が可能な状態となる。
【００３９】
ここで、ユーザーにより文字キーが操作されて文字が入力されると、キーボード１１は、この入力を受け付けて制御部３０にキー情報を出力する。制御部３０は、キーボード１１から入力されるキー情報に基づいて、入力された文字の文字コードを特定し、この文字コードをＲＡＭ３２に記憶する。そして、この文字コードに対応するフォントデータをＣＧＲＯＭ３４から取得し、このフォントデータを用いて表示画像データを生成する。制御部３０がこの表示画像データを表示駆動部４１に供給すると、入力された文字が表示部１２に表示される。そして、ユーザーが文字の入力を複数回繰り返せば、ＲＡＭ３２には、複数の文字コードを含んだ文字コード列（テキストデータ）が記憶され、表示部１２には、複数の文字からなる文字列が表示される。
【００４０】
文字（文字列）が入力された後、ユーザーにより印刷キーが操作されると、テープ印刷装置１は、印刷処理を実行する。
【００４１】
以降、テープ印刷装置１の動作処理について説明する。
まず、テープ印刷装置１の状態遷移について、状態遷移図および画面の説明図を用いて説明する。図４は、本実施形態に係るテープ印刷装置１の状態遷移図である。図５は、テープ印刷装置１の各状態における表示部１２の画面を表す説明図であり、図５（ａ）は、待機状態ＳＴ１０の画面を表す説明図であり、図５（ｂ）は、文字入力状態ＳＴ１１の画面を表す説明図であり、図５（ｃ）は、バックライト消灯状態ＳＴ１２の画面を表す説明図であり、図５（ｄ）は、印刷状態ＳＴ１３の画面を表す説明図である。
【００４２】
図４に示すように、テープ印刷装置１は、待機状態ＳＴ１０、文字入力状態ＳＴ１１、バックライト消灯状態ＳＴ１２、および印刷状態ＳＴ１３に遷移可能となっている。
【００４３】
また、上述した各状態は、通常モード、第１省電力モード、および第２省電力モードのいずれかのモードとなっている。通常モードは、電源回路５０が電力を供給しており、表示部１２は画面表示を行い、バックライト４６も点灯している。第１省電力モードは、電源回路５０が電力を供給しており、表示部１２は画面表示を行い、バックライト４６は消灯している。第２省電力モードは、電源回路５０が電力の供給を停止しており、表示部１２は画面表示を停止し、バックライト４６も消灯している。
【００４４】
テープ印刷装置１は、電池５１や商用電源５２等による電源が供給されると、待機状態ＳＴ１０となる。待機状態ＳＴ１０は、テープ印刷装置１が、第２省電力モードとなっており、電源オン操作が行われるのを待機している状態である。待機状態ＳＴ１０においては、表示部１２は何も表示されていない無表示画面Ｇ１となっている。図５（ａ）に示すように、無表示画面Ｇ１には何も表示されておらず、バックライト４６も消灯している。待機状態ＳＴ１０において、キーボード１１に備わる電源キーが押下されると、テープ印刷装置１は、文字入力状態ＳＴ１１に遷移する。
【００４５】
文字入力状態ＳＴ１１は、テープ印刷装置１が、通常モードとなっており、バックライト４６を点灯して文字入力を受け付ける状態である。文字入力状態ＳＴ１１においては、表示部１２に文字入力画面Ｇ２が表示されている。図５（ｂ）に示すように、文字入力画面Ｇ２には、ユーザーによって入力された文字列が表示され、バックライト４６が点灯している。
【００４６】
文字入力状態ＳＴ１１において、キーボード１１に備わる印刷キーが押下されると、テープ印刷装置１は、印刷状態ＳＴ１３に遷移する。また、文字入力状態ＳＴ１１において、キーボード１１に備わる電源キーが押下されると、テープ印刷装置１は、待機状態ＳＴ１０に遷移する。また、文字入力状態ＳＴ１１において、いずれのキーも押下されずにタイマー３１ａの計測値が第１の時間を経過すると、テープ印刷装置１は、バックライト消灯状態ＳＴ１２に遷移する。本実施形態では、第１の時間は２０秒とする。また、文字入力状態ＳＴ１１において、キーボード１１に備わるその他のいずれかのキーが押下された場合には、テープ印刷装置１は、状態遷移しない。
【００４７】
バックライト消灯状態ＳＴ１２は、テープ印刷装置１が、第１省電力モードとなっており、バックライト４６を消灯して文字入力を受け付ける状態である。バックライト消灯状態ＳＴ１２においては、表示部１２にバックライトが消灯した文字入力画面Ｇ３が表示されている。図５（ｃ）に示すように、バックライトが消灯した文字入力画面Ｇ３には、ユーザーによって入力された文字列が表示されている。
【００４８】
バックライト消灯状態ＳＴ１２において、キーボード１１に備わる印刷キーが押下されると、テープ印刷装置１は、印刷状態ＳＴ１３に遷移する。また、バックライト消灯状態ＳＴ１２において、キーボード１１に備わる電源キーが押下されると、テープ印刷装置１は、待機状態ＳＴ１０に遷移する。また、バックライト消灯状態ＳＴ１２において、いずれのキーも押下されずにタイマー３１ａの計測値が第２の時間を経過すると、テープ印刷装置１は、待機状態ＳＴ１０に遷移する。本実施形態では、第２の時間は５分とする。また、バックライト消灯状態ＳＴ１２において、キーボード１１に備わるその他のいずれかのキーが押下された場合には、テープ印刷装置１は、文字入力状態ＳＴ１１に遷移する。
【００４９】
印刷状態ＳＴ１３は、テープ印刷装置１が、第１省電力モードとなっており、バックライト４６を消灯して印刷を実行している状態である。印刷状態ＳＴ１３においては、表示部１２に印刷状態画面Ｇ４が表示されている。図５（ｄ）に示すように、印刷状態画面Ｇ４には、印刷中である旨を表す文字列および印刷枚数が表示され、バックライト４６は消灯している。
【００５０】
印刷状態ＳＴ１３において、キーボード１１に備わる電源キーが押下されると、テープ印刷装置１は、待機状態ＳＴ１０に遷移する。また、印刷状態ＳＴ１３において、印刷が終了すると、テープ印刷装置１は、文字入力状態ＳＴ１１に遷移する。また、印刷状態ＳＴ１３において、キーボード１１に備わる電源キー以外のその他のいずれかのキーが押下された場合には、テープ印刷装置１は、状態遷移しない。
【００５１】
次に、テープ印刷装置１の各状態における処理について説明する。
図６は、テープ印刷装置１の待機状態ＳＴ１０における処理のフローチャートである。
【００５２】
待機状態ＳＴ１０において、制御部３０は、キーボード１１に備わる電源キーが押下され、電源オン操作が行われたか否かを判断する（ステップＳ１０１）。電源キーが押下されていない場合（ステップＳ１０１：ＮＯ）、ステップＳ１０１をループして、電源キーが押下されるのを待ち続ける。
【００５３】
電源キーが押下された場合（ステップＳ１０１：ＹＥＳ）、制御部３０は、初期処理を行う（ステップＳ１０２）。本実施形態では、初期処理は、ＣＰＵ３１の初期化やＲＡＭ３２等のメモリーの初期化を行う。また、その他のソフトウェアやハードウェアの初期化等も行う。次に、制御部３０は、表示駆動部４１に指示を出して、表示部１２に文字入力画面の表示を開始させる（ステップＳ１０３）。
【００５４】
制御部３０は、バックライト駆動部４５に指示を出して、バックライト４６を点灯する（ステップＳ１０４）。次に、制御部３０は、タイマー３１ａをスタートさせる（ステップＳ１０５）。そして、制御部３０は、テープ印刷装置１を文字入力状態ＳＴ１１に遷移させる（ステップＳ１０６）。そして、待機状態ＳＴ１０におけるテープ印刷装置１の処理を終了する。
【００５５】
次に、文字入力状態ＳＴ１１における処理について説明する。
図７は、テープ印刷装置１の文字入力状態ＳＴ１１における処理のフローチャートである。
【００５６】
文字入力状態ＳＴ１１において、制御部３０は、キーボード１１に備わる電源キーが押下され、電源オフ操作が行われたか否かを判断する（ステップＳ２０１）。電源キーが押下されていない場合（ステップＳ２０１：ＮＯ）、キーボード１１に備わる印刷キーが押下されたか否かを判断する（ステップＳ２０２）。印刷キーが押下されていない場合（ステップＳ２０２：ＮＯ）、キーボード１１に備わるいずれかのキーが押下されたか否かを判断する（ステップＳ２０３）。
【００５７】
いずれかのキーが押下された場合（ステップＳ２０３：ＹＥＳ）、制御部３０は、タイマー３１ａを再スタートする（ステップＳ２０４）。つまり、タイマー３１ａを「０」からスタートする。そして、制御部３０は、押下されたキーに対応する処理を行う（ステップＳ２０５）。押下されたキーに対応する処理とは、例えば、文字キーによる文字入力処理や、制御キーによる制御処理を示す。そして、ステップＳ２０１に移行する。
【００５８】
いずれのキーも押下されていない場合（ステップＳ２０３：ＮＯ）、制御部３０は、タイマー３１ａの計測値が第１の時間を経過したか否かを判断する（ステップＳ２０６）。第１の時間を経過していない場合（ステップＳ２０６：ＮＯ）、ステップＳ２０１に移行する。
【００５９】
第１の時間を経過している場合（ステップＳ２０６：ＹＥＳ）、制御部３０は、バックライト駆動部４５に指示を出して、バックライト４６を消灯する（ステップＳ２０７）。そして、制御部３０は、テープ印刷装置１をバックライト消灯状態ＳＴ１２に遷移させる（ステップＳ２０８）。そして、文字入力状態ＳＴ１１におけるテープ印刷装置１の処理を終了する。
【００６０】
印刷キーが押下された場合（ステップＳ２０２：ＹＥＳ）、制御部３０は、バックライト駆動部４５に指示を出して、バックライト４６を消灯する（ステップＳ２０９）。そして、制御部３０は、タイマー３１ａを停止させる（ステップＳ２１０）。
【００６１】
制御部３０は、入力された文字列に基づいた印刷処理を開始する（ステップＳ２１１）。具体的には、印刷処理とは、制御部３０が、ＲＡＭ３２に記憶された文字コード列に基づいて印刷画像データを生成し、その印刷画像データに基づいて、ヘッド駆動部４２および搬送駆動部４３はそれぞれサーマルヘッド１５および搬送機構１６を駆動させ、印刷画像データに応じた画像をテープＴに印刷する。そして、制御部３０が、カッター駆動部４４にカッターユニット１８を駆動させて、カッターユニット１８はテープＴを切断する。なお、この印刷処理を行う際の制御部３０、ヘッド駆動部４２、搬送駆動部４３、サーマルヘッド１５、および搬送機構１６が印刷部に相当する。
【００６２】
上述した印刷処理を開始して、制御部３０は、テープ印刷装置１を印刷状態ＳＴ１３に遷移させる（ステップＳ２１２）。そして、文字入力状態ＳＴ１１におけるテープ印刷装置１の処理を終了する。
【００６３】
電源キーが押下された場合（ステップＳ２０１：ＹＥＳ）、制御部３０は、バックライト駆動部４５を制御して、バックライト４６を消灯する（ステップＳ２１３）。そして、制御部３０は、表示駆動部４１を制御して、画面表示を停止する（ステップＳ２１４）。さらに、制御部３０は、電源オフ処理を行う（ステップＳ２１５）。本実施形態では、電源オフ処理は、テープ印刷装置１の電源オフに伴って行われる処理を示し、電源オフに対応したソフトウェアやハードウェアの処理等を含む。そして、制御部３０は、テープ印刷装置１を待機状態ＳＴ１０に遷移させる（ステップＳ２１６）。そして、文字入力状態ＳＴ１１におけるテープ印刷装置１の処理を終了する。
【００６４】
次に、バックライト消灯状態ＳＴ１２における処理について説明する。
図８は、テープ印刷装置１のバックライト消灯状態ＳＴ１２における処理のフローチャートである。
【００６５】
バックライト消灯状態ＳＴ１２において、制御部３０は、キーボード１１に備わる電源キーが押下され、電源オフ操作が行われたか否かを判断する（ステップＳ３０１）。電源キーが押下されていない場合（ステップＳ３０１：ＮＯ）、キーボード１１に備わる印刷キーが押下されたか否かを判断する（ステップＳ３０２）。印刷キーが押下されていない場合（ステップＳ３０２：ＮＯ）、キーボード１１に備わるいずれかのキーが押下されたか否かを判断する（ステップＳ３０３）。
【００６６】
いずれのキーも押下されていない場合（ステップＳ３０３：ＮＯ）、制御部３０は、タイマー３１ａの計測値が第２の時間を経過したか否かを判断する（ステップＳ３０４）。第２の時間を経過していない場合（ステップＳ３０４：ＮＯ）、ステップＳ３０１に移行する。
【００６７】
第２の時間を経過している場合（ステップＳ３０４：ＹＥＳ）、制御部３０は、表示駆動部４１に指示を出して、画面表示を停止させる（ステップＳ３０５）。制御部３０は、電源オフ処理を行う（ステップＳ３０６）。そして、制御部３０は、テープ印刷装置１を待機状態ＳＴ１０に遷移させる（ステップＳ３０７）。そして、バックライト消灯状態ＳＴ１２におけるテープ印刷装置１の処理を終了する。
【００６８】
いずれかのキーが押下された場合（ステップＳ３０３：ＹＥＳ）、制御部３０は、タイマー３１ａを再スタートする（ステップＳ３０８）。そして、バックライト駆動部４５により、バックライト４６を点灯する（ステップＳ３０９）。
【００６９】
制御部３０は、押下されたキーに対応する処理を行う（ステップＳ３１０）。そして、制御部３０は、テープ印刷装置１を文字入力状態ＳＴ１１に遷移させる（ステップＳ３１１）。そして、バックライト消灯状態ＳＴ１２におけるテープ印刷装置１の処理を終了する。
【００７０】
印刷キーが押下された場合（ステップＳ３０２：ＹＥＳ）、制御部３０は、タイマー３１ａを停止させる（ステップＳ３１２）。そして、制御部３０は、入力された文字列に基づいた印刷処理を開始する（ステップＳ３１３）。そして、制御部３０は、テープ印刷装置１を印刷状態ＳＴ１３に遷移させる（ステップＳ３１４）。そして、バックライト消灯状態ＳＴ１２におけるテープ印刷装置１の処理を終了する。
【００７１】
電源キーが押下された場合（ステップＳ３０１：ＹＥＳ）、ステップＳ３０５に移行し、画面表示を停止して電源オフ処理を行い、テープ印刷装置１を待機状態ＳＴ１０に遷移させる。そして、バックライト消灯状態ＳＴ１２におけるテープ印刷装置１の処理を終了する。
【００７２】
次に、印刷状態ＳＴ１３における処理について説明する。
図９は、テープ印刷装置１の印刷状態ＳＴ１３における処理のフローチャートである。
【００７３】
印刷状態ＳＴ１３において、制御部３０は、キーボード１１に備わる電源キーが押下され、電源オフ操作が行われたか否かを判断する（ステップＳ４０１）。電源キーが押下されていない場合（ステップＳ４０１：ＮＯ）、制御部３０は、印刷処理が終了したか否かを判断する（ステップＳ４０２）。印刷処理が終了していない場合（ステップＳ４０２：ＮＯ）、ステップＳ４０１に移行する。
【００７４】
印刷処理が終了した場合（ステップＳ４０２：ＹＥＳ）、制御部３０は、表示駆動部４１に指示を出して、表示部１２に文字入力画面の表示を開始させる（ステップＳ４０３）。そして、制御部３０は、バックライト駆動部４５に指示を出して、バックライト４６を点灯させる（ステップＳ４０４）。
【００７５】
制御部３０は、タイマー３１ａを再スタートする（ステップＳ４０５）。そして、制御部３０は、テープ印刷装置１を文字入力状態ＳＴ１１に遷移させる（ステップＳ４０６）。そして、印刷状態ＳＴ１３におけるテープ印刷装置１の処理を終了する。
【００７６】
電源キーが押下された場合（ステップＳ４０１：ＹＥＳ）、制御部３０は、表示駆動部４１に指示を出して、画面表示を停止させる（ステップＳ４０７）。そして、制御部３０は、電源オフ処理を行う（ステップＳ４０８）。そして、制御部３０は、テープ印刷装置１を待機状態ＳＴ１０に遷移させる（ステップＳ４０９）。そして、印刷状態ＳＴ１３におけるテープ印刷装置１の処理を終了する。
【００７７】
上述したように、テープ印刷装置１は、待機状態ＳＴ１０と、文字入力状態ＳＴ１１と、バックライト消灯状態ＳＴ１２と、印刷状態ＳＴ１３との間で遷移することができる。
【００７８】
次に、テープ印刷装置１のバックライト４６に関連する各種の設定について説明する。本実施形態のテープ印刷装置１では、バックライト４６を消灯する第１の時間を変更して設定することができる。また、テープ印刷装置１では、印刷状態ＳＴ１３においてバックライト４６を点灯するか否か設定することができる。さらに、テープ印刷装置１では、バックライト４６の明るさを変更して設定することができる。
【００７９】
これらのバックライト４６に関連する設定は、テープ印刷装置１が、表示部１２に、それぞれ独立したメニュー画面を表示させ、ユーザーがキーボード１１に備わるカーソルキーや決定キーを押下することによって設定される。
【００８０】
図１０は、テープ印刷装置１の表示部１２に表示されたメニュー画面を表す説明図であり、図１０（ａ）は、バックライト４６を消灯する第１の時間を変更するメニュー画面の説明図であり、図１０（ｂ）は、印刷状態ＳＴ１３におけるバックライト４６の点灯の設定を行うメニュー画面の説明図であり、図１０（ｃ）は、バックライト４６の明るさを変更するメニュー画面の説明図である。
【００８１】
図１０（ａ）は、第１の時間変更メニュー画面Ｇ５である。第１の時間変更メニュー画面Ｇ５の最上部には、第１の時間変更メニューであることを表す「バックライト時間設定」の文字列が表示されている。その下には、上から順に、「１０秒」、「２０秒」、「３０秒」、「１分」の文字列が選択肢として表示されている。第１の時間変更メニュー画面Ｇ５では、現在の設定値である「２０秒」の部分がカーソルとして反転表示されている。
【００８２】
ユーザーが、キーボード１１に備わるカーソルキーを押下すると、反転表示のカーソルが上下に移動する。そして、ユーザーが決定キーを押下することにより、反転表示されている選択肢を第１の時間に設定することができる。制御部３０は、設定された第１の時間をＲＡＭ３２に記憶する。このときの制御部３０が時間変更部に相当する。なお、本実施形態では、第１の時間のデフォルトは「２０秒」としている。
【００８３】
このようにＲＡＭ３２に記憶された第１の時間を参照して、テープ印刷装置１の制御部３０は、文字入力状態ＳＴ１１におけるバックライト４６の制御を行う。
【００８４】
図１０（ｂ）は、印刷時のバックライト設定メニュー画面Ｇ６である。印刷時のバックライト設定メニュー画面Ｇ６の最上部には、印刷時のバックライト設定メニューであることを表す「印刷時のバックライト」の文字列が表示されている。その下には、上から順に、「オフ」、「オン」の文字列が選択肢として表示されている。印刷時のバックライト設定メニュー画面Ｇ６では、現在の設定値である「オフ」の部分がカーソルとして反転表示されている。
【００８５】
ユーザーが、キーボード１１に備わるカーソルキーを押下すると、反転表示のカーソルが上下に移動する。そして、ユーザーが決定キーを押下することにより、反転表示されている選択肢を設定することができる。制御部３０は、設定された印刷時のバックライト設定をＲＡＭ３２に記憶する。なお、本実施形態では、印刷時のバックライト設定のデフォルトは「オフ」としている。
【００８６】
このようにＲＡＭ３２に記憶された印刷時のバックライト設定を参照して、テープ印刷装置１の制御部３０は、印刷状態ＳＴ１３におけるバックライト４６の制御を行う。
【００８７】
図１０（ｃ）は、バックライトの明るさ設定メニュー画面Ｇ７である。バックライトの明るさ設定メニュー画面Ｇ７の最上部には、バックライトの明るさ設定メニューであることを表す「バックライトの明るさ」の文字列が表示されている。その下には、上から順に、「暗い」、「ふつう」、「明るい」の文字列が選択肢として表示されている。バックライトの明るさ設定メニュー画面Ｇ７では、現在の設定値である「ふつう」の部分がカーソルとして反転表示されている。
【００８８】
ユーザーが、キーボード１１に備わるカーソルキーを押下すると、反転表示のカーソルが上下に移動する。そして、ユーザーが決定キーを押下することにより、反転表示されている選択肢をバックライトの明るさとして設定することができる。制御部３０は、設定されたバックライトの明るさをＲＡＭ３２に記憶する。なお、本実施形態では、バックライトの明るさのデフォルトは「ふつう」としている。
【００８９】
このようにＲＡＭ３２に記憶されたバックライトの明るさ設定を参照して、テープ印刷装置１の制御部３０は、バックライト駆動部４５に指示を出してバックライト４６の明るさの制御を行う。
【００９０】
また、本実施形態のテープ印刷装置１では、第２の時間についても変更して設定することができる。第１の時間変更メニュー画面Ｇ５と同様に、テープ印刷装置１が第２の時間変更メニュー画面を表示部１２に表示させ、ユーザーが所望の時間を選択して設定することができる。
【００９１】
図１１は、第２の時間変更メニュー画面を表す説明図である。第２の時間変更メニュー画面Ｇ８の最上部には、第２の時間変更メニューであることを表す「自動電源オフ時間設定」の文字列が表示されている。その下には、上から順に、「３分」、「５分」、「１０分」、「２０分」の文字列が選択肢として表示されている。第２の時間変更メニュー画面Ｇ８では、現在の設定値である「５分」の部分がカーソルとして反転表示されている。
【００９２】
ユーザーが、キーボード１１に備わるカーソルキーを押下すると、反転表示のカーソルが上下に移動する。そして、ユーザーが決定キーを押下することにより、反転表示されている選択肢を第２の時間に設定することができる。このとき、設定しようとした選択肢の時間が第１の時間よりも小さい場合には、設定できないことが望ましい。制御部３０は、設定された第２の時間をＲＡＭ３２に記憶する。このときの制御部３０が時間変更部に相当する。なお、本実施形態では、第２の時間のデフォルトは「５分」としている。
【００９３】
このようにＲＡＭ３２に記憶された第２の時間を参照して、テープ印刷装置１の制御部３０は、バックライト消灯状態ＳＴ１２における電源オフの制御を行う。
【００９４】
上述した第１の実施形態によれば、以下の効果が得られる。
（１）テープ印刷装置１は、文字入力状態ＳＴ１１において、タイマー３１ａの計測値が第１の時間となっても、いずれのキーも押下されなかった場合には、バックライト４６を消灯した第１省電力モードであるバックライト消灯状態ＳＴ１２に切り替わる。これにより、バックライト４６の照明は消灯するので、消費電力を低減することができる。特に、テープ印刷装置１を電池５１によって駆動する場合には、電池寿命を長期化することができる。また、商用電源５２を用いている場合でも、省エネルギー化を図ることができる。
【００９５】
（２）テープ印刷装置１は、バックライト消灯状態ＳＴ１２において、いずれかのキーが押下された場合には、バックライト４６を点灯した通常モードである文字入力状態ＳＴ１１に切り替わる。これにより、消費電力を低減した状態から、簡易な操作によって直ちに、バックライト４６が点灯し、表示部１２の視認性を向上させることができる。
【００９６】
（３）テープ印刷装置１は、バックライト消灯状態ＳＴ１２において、タイマー３１ａの計測値が第２の時間となっても、いずれのキーも押下されなかった場合には、テープ印刷装置１の電源がオフされる第２省電力モードである待機状態ＳＴ１０に切り替わる。これにより、ユーザーが電源オフ操作を行わなくても、テープ印刷装置１は自動的に電源をオフする。そして、テープ印刷装置１の消費電力をバックライト消灯状態ＳＴ１２よりもさらに低減することができる。
【００９７】
（４）テープ印刷装置１は、印刷状態ＳＴ１３では、バックライト４６を消灯した第１省電力モードとなる。これにより、電源キー以外の入力操作が禁止される印刷中には、バックライト４６の照明は消灯するため、消費電力を低減することができる。
【００９８】
（５）テープ印刷装置１は、第１の時間変更メニュー画面Ｇ５によって、第１の時間を変更することができる。これにより、ユーザーは、文字入力状態ＳＴ１１におけるバックライト４６の消灯時間を所望の時間に設定することができる。
【００９９】
（６）テープ印刷装置１は、印刷時のバックライト設定メニュー画面Ｇ６によって、印刷時のバックライトの設定を変更することができる。これにより、ユーザーは、印刷状態ＳＴ１３おけるバックライト４６の点灯／消灯を任意に設定することができる。
【０１００】
（７）テープ印刷装置１は、バックライトの明るさ設定メニュー画面Ｇ７によって、バックライトの明るさの設定を変更することができる。これにより、ユーザーは、バックライト４６の明るさを任意に設定することができる。また、バックライト４６の明るさを暗く設定すれば、テープ印刷装置１の消費電力を低減することができる。
【０１０１】
（８）テープ印刷装置１は、第２の時間変更メニュー画面Ｇ８によって、第２の時間を変更することができる。これにより、ユーザーは、テープ印刷装置１が自動的に電源をオフする時間を所望の時間に設定することができる。
【０１０２】
（第２の実施形態）
以下、第２の実施形態について説明する。
【０１０３】
第２の実施形態に係るテープ印刷装置１００は、第１の時間、入力操作を受け付けなかった場合に第１省電力モードに切り替わり、第３の時間、入力操作を受け付けなかった場合に第３省電力モードに切り替わり、第２の時間、入力操作を受け付けなかった場合に、第２省電力モードに切り替わる。
【０１０４】
第２の実施形態に係るテープ印刷装置１００の外観および機構は、第１の実施形態に係るテープ印刷装置１と同様である。よって、説明は省略する。また、第２の実施形態に係るテープ印刷装置１００の回路構成を示すブロック図も、第１の実施形態に係るテープ印刷装置１と同様である。よって、説明は省略する。
【０１０５】
次に、第２の実施形態に係るテープ印刷装置１００の状態遷移について、状態遷移図および画面の説明図を用いて説明する。図１２は、第２の実施形態に係るテープ印刷装置１００の状態遷移図である。図１３は、テープ印刷装置１００の表示停止状態における表示部１２の画面を表す説明図である。
【０１０６】
図１２に示すように、テープ印刷装置１００は、待機状態ＳＴ１０、文字入力状態ＳＴ１１、バックライト消灯状態ＳＴ１２ａ、印刷状態ＳＴ１３、および表示停止状態ＳＴ１４に遷移可能となっている。
【０１０７】
また、上述した各状態は、通常モード、第１省電力モード、第２省電力モード、および第３省電力モードのいずれかのモードとなっている。通常モードは、第１の実施形態と同様に、電源回路５０が電力を供給しており、表示部１２は画面表示を行い、バックライト４６も点灯している。第１省電力モードは、第１の実施形態と同様に、電源回路５０が電力を供給しており、表示部１２は画面表示を行い、バックライト４６は消灯している。第２省電力モードは、第１の実施形態と同様に、電源回路５０が電力の供給を停止しており、表示部１２は画面表示を停止し、バックライト４６も消灯している。第３省電力モードは、電源回路５０が電力を供給しており、表示部１２は画面表示を停止し、バックライト４６も消灯している。
【０１０８】
テープ印刷装置１００は、電池５１や商用電源５２等による電源が供給されると、待機状態ＳＴ１０となる。待機状態ＳＴ１０は、第１の実施形態と同様に、テープ印刷装置１００が第２省電力モードとなっており、電源オン操作が行われるのを待機している状態である。状態遷移も、第１の実施形態と同様である。
【０１０９】
文字入力状態ＳＴ１１は、第１の実施形態と同様に、テープ印刷装置１００が通常モードとなっており、バックライト４６を点灯して文字入力を受け付ける状態である。状態遷移も、第１の実施形態と同様である。
【０１１０】
バックライト消灯状態ＳＴ１２ａは、テープ印刷装置１００が第１省電力モードとなっており、バックライト４６を消灯して文字入力を受け付ける状態である。
【０１１１】
バックライト消灯状態ＳＴ１２ａにおいて、キーボード１１に備わる印刷キーが押下されると、テープ印刷装置１００は、印刷状態ＳＴ１３に遷移する。また、バックライト消灯状態ＳＴ１２ａにおいて、キーボード１１に備わる電源キーが押下されると、テープ印刷装置１００は、待機状態ＳＴ１０に遷移する。また、バックライト消灯状態ＳＴ１２ａにおいて、いずれのキーも押下されずにタイマー３１ａの計測値が第３の時間を経過すると、テープ印刷装置１００は、表示停止状態ＳＴ１４に遷移する。本実施形態では、第３の時間は２分とする。また、バックライト消灯状態ＳＴ１２ａにおいて、キーボード１１に備わるその他のいずれかのキーが押下された場合には、テープ印刷装置１００は、文字入力状態ＳＴ１１に遷移する。
【０１１２】
表示停止状態ＳＴ１４は、テープ印刷装置１００が、第３省電力モードとなっており、バックライト４６を消灯して表示部１２の表示を停止している状態である。表示停止状態ＳＴ１４においては、表示部１２は何も表示されていない無表示画面となっている。図１３に示すように、無表示画面Ｇ９には何も表示されておらず、バックライト４６も消灯されている。
【０１１３】
表示停止状態ＳＴ１４において、いずれのキーも押下されずにタイマー３１ａの計測値が第２の時間を経過するか、またはキーボード１１に備わる電源キーが押下されると、テープ印刷装置１００は、待機状態ＳＴ１０に遷移する。本実施形態では、第２の時間は５分とする。また、表示停止状態ＳＴ１４において、キーボード１１に備わるその他のいずれかのキーが押下された場合には、テープ印刷装置１００は、文字入力状態ＳＴ１１に遷移する。
【０１１４】
印刷状態ＳＴ１３は、第１の実施形態と同様に、テープ印刷装置１００が、第１省電力モードとなっており、バックライト４６を消灯して印刷を実行している状態である。状態遷移も、第１の実施形態と同様である。
【０１１５】
次に、テープ印刷装置１００の各状態における処理について説明する。
待機状態ＳＴ１０、文字入力状態ＳＴ１１、および印刷状態ＳＴ１３における処理は、第１の実施形態と同様である。よって説明は省略する。
図１４は、テープ印刷装置１００のバックライト消灯状態ＳＴ１２ａにおける処理のフローチャートである。
【０１１６】
バックライト消灯状態ＳＴ１２ａにおいて、制御部３０は、キーボード１１に備わる電源キーが押下され、電源オフ操作が行われたか否かを判断する（ステップＳ５０１）。電源キーが押下されていない場合（ステップＳ５０１：ＮＯ）、キーボード１１に備わる印刷キーが押下されたか否かを判断する（ステップＳ５０２）。印刷キーが押下されていない場合（ステップＳ５０２：ＮＯ）、キーボード１１に備わるいずれかのキーが押下されたか否かを判断する（ステップＳ５０３）。
【０１１７】
いずれのキーも押下されていない場合（ステップＳ５０３：ＮＯ）、制御部３０は、タイマー３１ａの計測値が第３の時間を経過したか否かを判断する（ステップＳ５０４）。第３の時間を経過していない場合（ステップＳ５０４：ＮＯ）、ステップＳ５０１に移行する。
【０１１８】
第３の時間を経過している場合（ステップＳ５０４：ＹＥＳ）、表示駆動部４１は、画面表示を停止（オフ）する（ステップＳ５０５）。そして、制御部３０は、テープ印刷装置１００を表示停止状態ＳＴ１４に遷移させる（ステップＳ５０６）。そして、バックライト消灯状態ＳＴ１２ａにおけるテープ印刷装置１００の処理を終了する。
【０１１９】
いずれかのキーが押下された場合（ステップＳ５０３：ＹＥＳ）、制御部３０は、タイマー３１ａを再スタートする（ステップＳ５０７）。そして、制御部３０は、バックライト駆動部４５に指示を出して、バックライト４６を点灯する（ステップＳ５０８）。
【０１２０】
制御部３０は、押下されたキーに対応する処理を行う（ステップＳ５０９）。そして、制御部３０は、テープ印刷装置１００を文字入力状態ＳＴ１１に遷移させる（ステップＳ５１０）。そして、バックライト消灯状態ＳＴ１２ａにおけるテープ印刷装置１００の処理を終了する。
【０１２１】
印刷キーが押下された場合（ステップＳ５０２：ＹＥＳ）、制御部３０は、タイマー３１ａを停止させる（ステップＳ５１１）。そして、制御部３０は、入力された文字列に基づいた印刷処理を開始する（ステップＳ５１２）。そして、制御部３０は、テープ印刷装置１００を印刷状態ＳＴ１３に遷移させる（ステップＳ５１３）。そして、バックライト消灯状態ＳＴ１２ａにおけるテープ印刷装置１００の処理を終了する。
【０１２２】
電源キーが押下された場合（ステップＳ５０１：ＹＥＳ）、表示駆動部４１は、画面表示を停止する（ステップＳ５１４）。次に、制御部３０は、電源オフ処理を行う（ステップＳ５１５）。そして、制御部３０は、テープ印刷装置１００を待機状態ＳＴ１０に遷移させる（ステップＳ５１６）。そして、バックライト消灯状態ＳＴ１２ａにおけるテープ印刷装置１００の処理を終了する。
【０１２３】
次に、表示停止状態ＳＴ１４における処理について説明する。
図１５は、テープ印刷装置１００の表示停止状態ＳＴ１４における処理のフローチャートである。
【０１２４】
表示停止状態ＳＴ１４において、制御部３０は、キーボード１１に備わる電源キーが押下され、電源オフ操作が行われたか否かを判断する（ステップＳ６０１）。電源キーが押下されていない場合（ステップＳ６０１：ＮＯ）、キーボード１１に備わるいずれかのキーが押下されたか否かを判断する（ステップＳ６０２）。
【０１２５】
いずれのキーも押下されていない場合（ステップＳ６０２：ＮＯ）、制御部３０は、タイマー３１ａの計測値が第２の時間を経過したか否かを判断する（ステップＳ６０３）。第２の時間を経過していない場合（ステップＳ６０３：ＮＯ）、ステップＳ６０１に移行する。
【０１２６】
第２の時間を経過している場合（ステップＳ６０３：ＹＥＳ）、制御部３０は、電源オフ処理を行う（ステップＳ６０４）。そして、制御部３０は、テープ印刷装置１００を待機状態ＳＴ１０に遷移させる（ステップＳ６０５）。そして、表示停止状態ＳＴ１４におけるテープ印刷装置１００の処理を終了する。
【０１２７】
いずれかのキーが押下された場合（ステップＳ６０２：ＹＥＳ）、制御部３０は、表示駆動部４１に指示を出して、表示部１２に画面表示を開始させる（ステップＳ６０６）。そして、バックライト駆動部４５は、バックライト４６を点灯する（ステップＳ６０７）。次に、制御部３０は、タイマー３１ａを再スタートさせる（ステップＳ６０８）。そして、制御部３０は、テープ印刷装置１００を文字入力状態ＳＴ１１に遷移させる（ステップＳ６０９）。そして、表示停止状態ＳＴ１４におけるテープ印刷装置１００の処理を終了する。
【０１２８】
電源キーが押下された場合（ステップＳ６０１：ＹＥＳ）、ステップＳ６０４に移行し、電源オフ処理を行って、テープ印刷装置１００を待機状態ＳＴ１０に遷移させる。そして、表示停止状態ＳＴ１４におけるテープ印刷装置１００の処理を終了する。
【０１２９】
上述したように、テープ印刷装置１００は、待機状態ＳＴ１０と、文字入力状態ＳＴ１１と、バックライト消灯状態ＳＴ１２ａと、印刷状態ＳＴ１３と、表示停止状態ＳＴ１４との間で遷移することができる。
【０１３０】
次に、テープ印刷装置１００のバックライト４６に関連する各種の設定について説明する。第２の実施形態のテープ印刷装置１００では、第１の実施形態のテープ印刷装置１と同様に、第１の時間変更メニュー画面Ｇ５を表示して、第１の時間を選択して設定することができる。また、テープ印刷装置１００では、第１の実施形態のテープ印刷装置１と同様に、印刷時のバックライト設定メニュー画面Ｇ６を表示して、印刷状態ＳＴ１３においてバックライト４６を点灯するか否かを設定することができる。さらに、テープ印刷装置１００では、第１の実施形態のテープ印刷装置１と同様に、バックライトの明るさ設定メニュー画面Ｇ７を表示して、バックライト４６の明るさを選択して設定することができる。
【０１３１】
また、テープ印刷装置１００では、第１の実施形態のテープ印刷装置１と同様に、第２の時間変更メニュー画面Ｇ８を表示して、第２の時間を選択して設定することができる。
【０１３２】
さらに、本実施形態のテープ印刷装置１００では、第３の時間についても選択して設定することができる。テープ印刷装置１００は、第１の実施形態の第１の時間変更メニュー画面Ｇ５と同様に、第３の時間変更メニュー画面を表示部１２に表示させ、ユーザーが所望の時間を選択して設定することができる。
【０１３３】
図１６は、第３の時間変更メニュー画面を表す説明図である。第３の時間変更メニュー画面Ｇ１０の最上部には、第３の時間変更メニューであることを表す「表示停止時間設定」の文字列が表示されている。その下には、上から順に、「１分」、「２分」、「３分」、「５分」の文字列が選択肢として表示されている。第３の時間変更メニュー画面Ｇ１０では、現在の設定値である「２分」の部分がカーソルとして反転表示されている。
【０１３４】
ユーザーが、キーボード１１に備わるカーソルキーを押下すると、反転表示のカーソルが上下に移動する。そして、ユーザーが決定キーを押下することにより、反転表示されている選択肢を第３の時間に設定することができる。このとき、設定しようとした選択肢の時間が第１の時間よりも小さい場合、または第２の時間より大きい場合には、設定できないことが望ましい。制御部３０は、設定された第３の時間をＲＡＭ３２に記憶する。このときの制御部３０が時間変更部に相当する。なお、本実施形態では、第３の時間のデフォルトは「２分」としている。
【０１３５】
このようにＲＡＭ３２に記憶された第３の時間設定を参照して、テープ印刷装置１００の制御部３０は、バックライト消灯状態ＳＴ１２ａにおける表示部１２の画面表示の制御を行う。
【０１３６】
上述した第２の実施形態によれば、第１の実施形態の効果（４）、（５）、（６）、（７）、（８）と同様の効果を奏することができる。他に以下の効果が得られる。
（１）テープ印刷装置１００は、文字入力状態ＳＴ１１において、タイマー３１ａの計測値が第１の時間となっても、いずれのキーも押下されなかった場合には、バックライト４６を消灯した第１省電力モードであるバックライト消灯状態ＳＴ１２ａに切り替わる。これにより、バックライト４６の照明は消灯するので、消費電力を低減することができる。特に、テープ印刷装置１００を電池５１によって駆動する場合には、電池寿命を長期化することができる。また、商用電源５２を用いている場合でも、省エネルギー化を図ることができる。
【０１３７】
（２）テープ印刷装置１００は、バックライト消灯状態ＳＴ１２ａにおいて、いずれかのキーが押下された場合には、バックライト４６を点灯した通常モードである文字入力状態ＳＴ１１に切り替わる。これにより、消費電力を低減した状態から、簡易な操作によって直ちに、バックライト４６が点灯し、表示部１２の視認性を向上させることができる。
【０１３８】
（３）テープ印刷装置１００は、バックライト消灯状態ＳＴ１２ａにおいて、タイマー３１ａの計測値が第３の時間となっても、いずれのキーも押下されなかった場合には、テープ印刷装置１００の画面表示が停止した第３省電力モードである表示停止状態ＳＴ１４に切り替わる。これにより、テープ印刷装置１００の画面表示が停止（オフ）されるので、テープ印刷装置１００の電源をオフすることなく、消費電力をバックライト消灯状態ＳＴ１２ａよりも低減することができる。
【０１３９】
（４）テープ印刷装置１００は、表示停止状態ＳＴ１４において、いずれかのキーが押下された場合には、画面表示を開始し、バックライト４６が点灯した通常モードである文字入力状態ＳＴ１１に切り替わる。これにより、消費電力を低減した状態から、簡易な操作によって直ちに、文字入力を再開することができる。
【０１４０】
（５）テープ印刷装置１００は、表示停止状態ＳＴ１４において、タイマー３１ａの計測値が第２の時間となっても、いずれのキーも押下されなかった場合には、テープ印刷装置１００の電源がオフされた第２省電力モードである待機状態ＳＴ１０に切り替わる。これにより、ユーザーが電源オフ操作を行わなくても、テープ印刷装置１００は自動的に電源をオフする。そして、テープ印刷装置１００の消費電力を表示停止状態ＳＴ１４よりもさらに低減することができる。
【０１４１】
また、上述した実施形態は、上記機能を実現するためのプログラムをコンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー、画像生成装置の内部記憶装置（ＲＡＭやＲＯＭ等の半導体メモリー）等、前記コンピューターが読み取り可能な種々の媒体を利用することができる。
【０１４２】
なお、上述した実施形態に限定されず、種々の変更や改良等を加えて実施することが可能である。変形例を以下に述べる。
【０１４３】
（変形例１）上記実施形態では、バックライト４６は、ＬＥＤを有して構成されるものとしたが、ＬＥＤに限定するものではなく、その他のランプや有機ＥＬ等としてもよい。
【０１４４】
（変形例２）上記実施形態では、バックライト４６は、表示部１２の背面に備えられるものとしたが、他の方向から表示部１２を照明してもよい。例えば、表示部１２の側方から照明してもよい。
【０１４５】
（変形例３）上記実施形態では、バックライト４６は、表示部１２を照明するものとした。ここで、キーボード１１に備わる各キーは、照明装置としてＬＥＤを内蔵する自照式キースイッチとしてもよい。そして、バックライト４６が点灯／消灯するタイミングに連動して、自照式キースイッチに内蔵されるＬＥＤを点灯／消灯してもよい。こうすれば、キーボード１１の視認性が向上するとともに、各省電力モードにおいては、消費電力を低減することができる。
【０１４６】
（変形例４）上記実施形態では、第１の時間変更メニュー画面Ｇ５、第２の時間変更メニュー画面Ｇ８、および第３の時間変更メニュー画面Ｇ１０は、複数の時間の選択肢を表示し、ユーザーに選択させるものとした。しかし、このように複数の時間の選択肢を表示するのではなく、任意の時間の入力を受け付ける画面（図示せず）を表示するようにしてもよい。例えば、ユーザーがキーボード１１に備わる数字キーを押下して決定することで、任意の時間を設定できるものとしてもよい。
【０１４７】
（変形例５）上記実施形態では、バックライトの明るさ設定メニュー画面Ｇ７は、「暗い」、「ふつう」、「明るい」という３つの選択肢を表示し、ユーザーに選択させるものとしたが、このように３つの選択肢を表示するものに限定しない。例えば、バックライト４６の明るさは数値で表現するものとし、ユーザーがキーボード１１に備わる数字キーを押下して決定することで、任意の明るさを設定できるものとしてもよい。
【０１４８】
（変形例６）上記実施形態では、バックライト消灯状態ＳＴ１２，ＳＴ１２ａにおいて、いずれかのキーが押下された場合、キーに対応する処理を行って文字入力状態ＳＴ１１に遷移するものとしたが、このキーに対応する処理は行わずに文字入力状態ＳＴ１１に遷移してもよい。
【０１４９】
（変形例７）上記第２の実施形態では、表示停止状態ＳＴ１４において、いずれかのキーが押下された場合、キーに対応する処理を行わずに文字入力状態ＳＴ１１に遷移するものとしたが、このキーに対応する処理を行って文字入力状態ＳＴ１１に遷移してもよい。
【０１５０】
（変形例８）上記実施形態では、テープＴに文字等を印刷するための印刷方式として、サーマルヘッド１５による熱転写方式を用いているが、この方式に限られず、インク滴を吐出するインクジェット方式等、他の印刷方式を用いてもよい。
【符号の説明】
【０１５１】
１，１００…テープ印刷装置、２…テープカートリッジ、１０…筐体、１１…キーボード、１２…表示部、３０…制御部、３１…ＣＰＵ、３１ａ…タイマー、３２…ＲＡＭ、３３…ＲＯＭ、３４…ＣＧＲＯＭ、３５…入力インターフェイス、３６…出力インターフェイス、４１…表示駆動部、４２…ヘッド駆動部、４３…搬送駆動部、４４…カッター駆動部、４５…バックライト駆動部、４６…バックライト、５０…電源回路、５１…電池、５２…商用電源、５３…ＡＣアダプター。
【図１】
2011126012.tif 000003
【図２】
2011126012.tif 000004
【図３】
2011126012.tif 000005
【図４】
2011126012.tif 000006
【図５】
2011126012.tif 000007
【図６】
2011126012.tif 000008
【図７】
2011126012.tif 000009
【図８】
2011126012.tif 000010
【図９】
2011126012.tif 000011
【図１０】
2011126012.tif 000012
【図１１】
2011126012.tif 000013
【図１２】
2011126012.tif 000014
【図１３】
2011126012.tif 000015
【図１４】
2011126012.tif 000016
【図１５】
2011126012.tif 000017
【図１６】
2011126012.tif 000018